【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
複数のサーフェスによって構成される３次元形状を表す３次元ＣＡＤデータを記憶する記憶装置から、比較対象である２つの３次元形状の３次元ＣＡＤデータを取得する取得手段と、
取得手段によって取得された３次元ＣＡＤデータが示す２つの３次元形状のうちの１つの３次元形状のサーフェスと他の３次元形状のサーフェスとを、サーフェスの識別情報によって対応付けて比較対象とし、比較対象のないサーフェスの識別情報と、比較対象のサーフェスの形状が一致しない両サーフェスの識別情報とを抽出する抽出手段と、
抽出手段によって抽出されたサーフェス識別情報が示す各サーフェスを、隣接するサーフェスがあるサーフェスについては、相互に隣接したサーフェスからなるグループに分け、隣接するサーフェスがないサーフェスについては、そのサーフェスのみからなるグループに分けるグループ化手段と、
グループ化手段によって分けられた各グループに含まれるサーフェスによって形成される３次元のグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを出力装置に出力する出力手段とを含むことを特徴とする設計支援装置。
【請求項２】
前記取得手段によって取得される比較対象である２つの３次元形状は、変更前の３次元形状およびその３次元形状の変更後の３次元形状であり、
前記出力手段は、前記注目グループ形状と、その注目グループ形状を内包する３次元形状と、その注目グループ形状を形成するサーフェスに比較対象のサーフェスがある場合は、その比較対象のサーフェスを含むグループ形状である対応グループ形状とからなる組合せ形状を出力装置に出力する際に、前記抽出手段によって抽出されたサーフェス識別情報が示すサーフェスを、その抽出されたサーフェス識別情報が示すサーフェス以外のサーフェスと区別して出力し、注目グループ形状がその注目グループ形状を内包する３次元形状の中に占める位置を示す情報を付加して出力し、さらに、注目グループ形状と対応グループ形状とを拡大して出力することを特徴とする請求項１に記載の設計支援装置。
【請求項３】
前記グループ化手段によって分けられたそれぞれのグループについて、各グループに含まれるサーフェスによって形成される３次元のグループ形状の重心位置を基点とするベクトルであって、予め定める最適条件を満たす最適ベクトルを決定する最適ベクトル決定手段をさらに含み、
前記出力手段は、前記グループ化手段によって分けられたグループのグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを、注目グループ形状について最適ベクトル決定手段によって決定された最適ベクトルの方向と反対方向からみた形状で、出力装置に出力し、
前記予め定める最適条件は、各グループのグループ形状の重心位置を基点とする予め定める複数のベクトルのそれぞれが、各グループ形状を内包する３次元形状を構成するサーフェスのうち、それぞれのグループ形状のサーフェスを除いたサーフェスと交差するサーフェスの数である交差面数について、交差面数が最も少ないベクトルが１つの場合は、最も少ない交差面数のベクトルであるという条件であり、交差面数が最も少ないベクトルが２つ以上の場合は、最も少ない交差面数のベクトルの和のベクトルであるという条件であることを特徴とする請求項２に記載の設計支援装置。
【請求項４】
記憶手段と、
前記出力手段によって出力装置に出力された注目グループ形状と、その注目グループ形状を内包する３次元形状と、対応グループ形状とを画像として取り込む画像取り込み手段と、
画像取り込み手段によって取り込まれた画像を用いて、予め定める様式のドキュメントをグループごとに生成し、生成したドキュメントを表すドキュメント情報を記憶手段に記憶するドキュメント生成手段とをさらに含み、
前記出力手段は、記憶手段によって記憶されるドキュメント情報を、出力装置に出力することを特徴とする請求項２に記載の設計支援装置。
【請求項５】
前記記憶装置によって記憶される３次元ＣＡＤデータは、各３次元形状のサーフェスごとのサーフェス識別情報を含み、
前記抽出手段によって抽出された各サーフェス識別情報が、変更前の３次元ＣＡＤデータに含まれかつ変更後の３次元ＣＡＤデータに含まれないと、そのサーフェス識別情報が示すサーフェスの変更態様は消去であると判定し、変更前の３次元ＣＡＤデータに含まれずかつ変更後の３次元ＣＡＤデータに含まれると、そのサーフェス識別情報が示すサーフェスの変更態様は追加であると判定し、変更前の３次元ＣＡＤデータおよび変更後の３次元ＣＡＤデータに含まれると、そのサーフェス識別情報が示すサーフェスの変更態様は変更であると判定する判定手段と、
前記抽出手段によって抽出されたサーフェス識別情報と、判定手段によって各サーフェスについて判定された変更態様を表す変更態様情報とを対応付けて、前記記憶手段によって記憶させる変更履歴手段とをさらに含むことを特徴とする請求項４に記載の設計支援装置。
【請求項６】
前記記憶装置は、変更前の３次元形状および変更後の３次元形状の各サーフェスの周辺を形成する各辺の寸法に関する寸法情報であって、各寸法を識別するための寸法識別情報を含む寸法情報をサーフェス識別情報ごとに記憶し、
前記取得手段は、サーフェス識別情報ごとの寸法情報を記憶装置から取得し、
前記記憶手段に記憶されたサーフェス識別情報の中から変更態様が変更である変更態様情報に対応付けられたサーフェス識別情報を検索する検索手段と、
前記取得手段によって取得された寸法情報のうちで、検索手段によって検索されたサーフェス識別情報を含む寸法情報から、変更前の寸法情報と変更後の寸法情報とで差のある寸法情報を抽出し、抽出した寸法情報をサーフェス識別情報に対応付けて寸法変更情報として記憶手段によって記憶させる寸法情報抽出手段とをさらに含むことを特徴とする請求項５に記載の設計支援装置。
【請求項７】
前記出力手段は、前記組合せ形状を出力装置に出力する際に、前記記憶手段によって記憶された変更態様情報のうち、前記注目グループ形状に含まれるサーフェスのサーフェス識別情報に対応付けられた変更態様情報を付加して出力することを特徴とする請求項５に記載の設計支援装置。
【請求項８】
前記ドキュメント生成手段は、前記予め定める様式のドキュメントを生成する際、前記記憶手段によって記憶された変更態様情報のうち、前記注目グループ形状に含まれるサーフェスのサーフェス識別情報に対応付けられた変更態様情報を付加して生成することを特徴とする請求項５に記載の設計支援装置。
【請求項９】
前記出力手段は、前記組合せ形状を出力装置に出力する際に、前記記憶手段によって記憶された寸法変更情報のうち、前記注目グループ形状に含まれるサーフェスのサーフェス識別情報に対応付けられた寸法変更情報を付加して出力することを特徴とする請求項６に記載の設計支援装置。
【請求項１０】
前記ドキュメント生成手段は、前記予め定める様式のドキュメントを生成する際、前記記憶手段によって記憶された寸法変更情報のうち、前記注目グループ形状に含まれるサーフェスのサーフェス識別情報に対応付けられた寸法変更情報を付加して生成することを特徴とする請求項６に記載の設計支援装置。
【請求項１１】
移動量を表す移動量情報、回転角度を表す回転角度情報、および拡大縮小倍率を表す倍率情報を入力する入力手段をさらに有し、
前記出力手段は、前記注目グループ形状と、その注目グループ形状を形成するサーフェスに比較対象のサーフェスがある場合は、その比較対象のサーフェスを含むグループのグループ形状とを、入力手段によって入力された移動量情報が示す移動量分移動し、入力手段によって入力された回転角度情報が示す回転角度分回転し、さらに入力手段によって入力された倍率情報が示す倍率で拡大または縮小して出力することを特徴とする請求項１に記載の設計支援装置。
【請求項１２】
前記出力手段は、前記判定手段によって変更態様が変更であると判定されたサーフェスを含むグループのグループ形状のうちの注目グループ形状およびその周辺部を含む第１の部分と、その注目グループ形状に対応する対応グループ形状およびその対応グループ形状の周辺部を含み、かつ第１の部分に対応する位置にある第２の部分とをともに出力する際、前記注目グループ形状および前記対応グループ形状のうちの大きいほうの形状が最大の大きさになるように同じ倍率で拡大または縮小して出力することを特徴とする請求項５に記載の設計支援装置。
【請求項１３】
前記グループ化手段によって分けられたそれぞれのグループについて、各グループに含まれるサーフェスによって形成される３次元のグループ形状の重心位置を基点とするベクトルであって、予め定める最適条件を満たす最適ベクトルを決定する最適ベクトル決定手段をさらに含み、
前記出力手段は、前記グループ化手段によって分けられたグループのグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを、注目グループ形状について最適ベクトル決定手段によって決定された最適ベクトルの方向と反対方向からみた形状で、出力装置に出力することを特徴とする請求項５に記載の設計支援装置。
【請求項１４】
前記予め定める最適条件は、各グループのグループ形状の重心位置を基点とする予め定める複数のベクトルのそれぞれについて、各グループ形状を内包する３次元形状を構成するサーフェスのうち、それぞれのグループ形状のサーフェスを除いたサーフェスと各ベクトルとが交差するサーフェスの数である交差面数を求めた後、前記判定手段によって変更態様が変更であると判定されたサーフェスを含むグループのグループ形状のうちの注目グループ形状のベクトルの中で交差面数が最も少ないベクトルと、その注目グループに対応する対応グループ形状のベクトルの中で交差面数が最も少ないベクトルとを比較して、同じ方向のベクトルが１つである場合は、その同じ方向のベクトルであるという条件であり、同じ方向のベクトルが２つ以上である場合は、その２つ以上のベクトルの和のベクトルであるという条件であることを特徴とする請求項１３に記載の設計支援装置。
【請求項１５】
複数のサーフェスによって構成される３次元形状を表す３次元ＣＡＤデータを記憶する記憶装置から、比較対象である２つの３次元形状の３次元ＣＡＤデータを取得する取得工程と、
取得工程で取得された３次元ＣＡＤデータが示す２つの３次元形状のうちの１つの３次元形状のサーフェスと他の３次元形状のサーフェスとを、サーフェスの識別情報によって対応付けて比較対象とし、比較対象のないサーフェスの識別情報と、比較対象のサーフェスの形状が一致しない両サーフェスの識別情報とを抽出する抽出工程と、
抽出工程で抽出されたサーフェス識別情報が示す各サーフェスを、隣接するサーフェスがあるサーフェスについては、相互に隣接したサーフェスからなるグループに分け、隣接するサーフェスがないサーフェスについては、そのサーフェスのみからなるグループに分けるグループ化工程と、
グループ化工程で分けられた各グループに含まれるサーフェスによって形成される３次元のグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを出力装置に出力する出力工程とを含むことを特徴とする設計支援方法。
【請求項１６】
前記グループ化工程で分けられたそれぞれのグループについて、各グループに含まれるサーフェスによって形成される３次元のグループ形状の重心位置を基点とするベクトルであって、予め定める最適条件を満たす最適ベクトルを決定する最適ベクトル決定工程をさらに含み、
前記出力工程では、前記グループ化工程で分けられたグループのグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを、注目グループ形状について最適ベクトル決定工程で決定された最適ベクトルの方向と反対方向からみた形状で、出力装置に出力することを特徴とする請求項１５に記載の設計支援方法。
【手続補正２】
【補正対象書類名】明細書
【補正対象項目名】００１１
【補正方法】変更
【補正の内容】
【００１１】
本発明は、複数のサーフェスによって構成される３次元形状を表す３次元ＣＡＤデータを記憶する記憶装置から、比較対象である２つの３次元形状の３次元ＣＡＤデータを取得する取得手段と、
取得手段によって取得された３次元ＣＡＤデータが示す２つの３次元形状のうちの１つの３次元形状のサーフェスと他の３次元形状のサーフェスとを、サーフェスの識別情報によって対応付けて比較対象とし、比較対象のないサーフェスの識別情報と、比較対象のサーフェスの形状が一致しない両サーフェスの識別情報とを抽出する抽出手段と、
抽出手段によって抽出されたサーフェス識別情報が示す各サーフェスを、隣接するサーフェスがあるサーフェスについては、相互に隣接したサーフェスからなるグループに分け、隣接するサーフェスがないサーフェスについては、そのサーフェスのみからなるグループに分けるグループ化手段と、
グループ化手段によって分けられた各グループに含まれるサーフェスによって形成される３次元のグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを出力装置に出力する出力手段とを含むことを特徴とする設計支援装置である。
【手続補正３】
【補正対象書類名】明細書
【補正対象項目名】００１３
【補正方法】変更
【補正の内容】
【００１３】
さらに、出力手段によって、グループ化手段によって分けられた各グループに含まれるサーフェスによって形成される３次元のグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とが出力装置に出力されるので、ユーザが操作しなくても、２つの３次元形状のうちの１つ３次元形状と、差のある対応する２つの部分形状との違いを容易に比較することができる。
【手続補正４】
【補正対象書類名】明細書
【補正対象項目名】００１６
【補正方法】変更
【補正の内容】
【００１６】
また本発明は、前記グループ化手段によって分けられたそれぞれのグループについて、各グループに含まれるサーフェスによって形成される３次元のグループ形状の重心位置を基点とするベクトルであって、予め定める最適条件を満たす最適ベクトルを決定する最適ベクトル決定手段をさらに含み、
前記出力手段は、前記グループ化手段によって分けられたグループのグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを、注目グループ形状について最適ベクトル決定手段によって決定された最適ベクトルの方向と反対方向からみた形状で、出力装置に出力し、
前記予め定める最適条件は、各グループのグループ形状の重心位置を基点とする予め定める複数のベクトルのそれぞれが、各グループ形状を内包する３次元形状を構成するサーフェスのうち、それぞれのグループ形状のサーフェスを除いたサーフェスと交差するサーフェスの数である交差面数について、交差面数が最も少ないベクトルが１つの場合は、最も少ない交差面数のベクトルであるという条件であり、交差面数が最も少ないベクトルが２つ以上の場合は、最も少ない交差面数のベクトルの和のベクトルであるという条件であることを特徴とする。
【手続補正５】
【補正対象書類名】明細書
【補正対象項目名】００１７
【補正方法】変更
【補正の内容】
【００１７】
本発明に従えば、最適ベクトル決定手段によって、グループ化手段によって分けられたそれぞれのグループについて、各グループに含まれるサーフェスによって形成される３次元のグループ形状の重心位置を基点とするベクトルであって、予め定める最適条件を満たす最適ベクトルが決定され、出力手段によって、グループ化手段によって分けられたグループのグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とが、注目グループ形状について最適ベクトル決定手段によって決定された最適ベクトルの方向と反対方向からみた形状で、出力装置に出力される。
そして、予め定める最適条件は、各グループのグループ形状の重心位置を基点とする予め定める複数のベクトルのそれぞれが、各グループ形状を内包する３次元形状を構成するサーフェスのうち、それぞれのグループ形状のサーフェスを除いたサーフェスと交差するサーフェスの数である交差面数について、交差面数が最も少ないベクトルが１つの場合は、最も少ない交差面数のベクトルであるという条件であり、交差面数が最も少ないベクトルが２つ以上の場合は、最も少ない交差面数のベクトルの和のベクトルであるという条件であるので、他のサーフェスに妨げられることが最も少ない方向から見ることができる。
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３７
【補正方法】変更
【補正の内容】
【００３７】
本発明に従えば、出力手段によって、判定手段によって変更態様が変更であると判定されたサーフェスを含むグループのグループ形状のうちの注目グループ形状およびその周辺部を含む第１の部分と、その注目グループ形状に対応する対応グループ形状およびその対応グループ形状の周辺部を含み、かつ第１の部分に対応する位置にある第２の部分とがともに出力される際、前記注目グループ形状および前記対応グループ形状のうちの大きいほうの形状が最大の大きさになるように同じ倍率で拡大または縮小されて出力されるので、変更前後のグループ形状が両方とも画面に収まり、かつ画面一杯に拡大表示することができる。
また本発明は、前記グループ化手段によって分けられたそれぞれのグループについて、各グループに含まれるサーフェスによって形成される３次元のグループ形状の重心位置を基点とするベクトルであって、予め定める最適条件を満たす最適ベクトルを決定する最適ベクトル決定手段をさらに含み、
前記出力手段は、前記グループ化手段によって分けられたグループのグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを、注目グループ形状について最適ベクトル決定手段によって決定された最適ベクトルの方向と反対方向からみた形状で、出力装置に出力することを特徴とする。
本発明に従えば、最適ベクトル決定手段によって、グループ化手段によって分けられたそれぞれのグループについて、各グループに含まれるサーフェスによって形成される３次元のグループ形状の重心位置を基点とするベクトルであって、予め定める最適条件を満たす最適ベクトルが決定され、出力手段によって、グループ化手段によって分けられたグループのグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とが、注目グループ形状について最適ベクトル決定手段によって決定された最適ベクトルの方向と反対方向からみた形状で、出力装置に出力されるので、ユーザが操作しなくても、２つの３次元形状のうちの１つ３次元形状と、差のある対応する２つの部分形状とを、その差のある箇所を見るのに適した方向から表示することができる。
また本発明は、前記予め定める最適条件は、各グループのグループ形状の重心位置を基点とする予め定める複数のベクトルのそれぞれについて、各グループ形状を内包する３次元形状を構成するサーフェスのうち、それぞれのグループ形状のサーフェスを除いたサーフェスと各ベクトルとが交差するサーフェスの数である交差面数を求めた後、前記判定手段によって変更態様が変更であると判定されたサーフェスを含むグループのグループ形状のうちの注目グループ形状のベクトルの中で交差面数が最も少ないベクトルと、その注目グループに対応する対応グループ形状のベクトルの中で交差面数が最も少ないベクトルとを比較して、同じ方向のベクトルが１つである場合は、その同じ方向のベクトルであるという条件であり、同じ方向のベクトルが２つ以上である場合は、その２つ以上のベクトルの和のベクトルであるという条件であることを特徴とする。
本発明に従えば、予め定める最適条件は、各グループのグループ形状の重心位置を基点とする予め定める複数のベクトルのそれぞれについて、各グループ形状を内包する３次元形状を構成するサーフェスのうち、それぞれのグループ形状のサーフェスを除いたサーフェスと各ベクトルとが交差するサーフェスの数である交差面数を求めた後、判定手段によって変更態様が変更であると判定されたサーフェスを含むグループのグループ形状のうちの注目グループ形状のベクトルの中で交差面数が最も少ないベクトルと、その注目グループに対応する対応グループ形状のベクトルの中で交差面数が最も少ないベクトルとを比較して、同じ方向のベクトルが１つである場合は、その同じ方向のベクトルであるという条件であり、同じ方向のベクトルが２つ以上である場合は、その２つ以上のベクトルの和のベクトルであるという条件であるので、変更前後のグループ形状を両方ともよく見える共通の視点から見た形状で出力つまり表示することができる。
【手続補正９】
【補正対象書類名】明細書
【補正対象項目名】００３８
【補正方法】変更
【補正の内容】
【００３８】
また本発明は、複数のサーフェスによって構成される３次元形状を表す３次元ＣＡＤデータを記憶する記憶装置から、比較対象である２つの３次元形状の３次元ＣＡＤデータを取得する取得工程と、
取得工程で取得された３次元ＣＡＤデータが示す２つの３次元形状のうちの１つの３次元形状のサーフェスと他の３次元形状のサーフェスとを、サーフェスの識別情報によって対応付けて比較対象とし、比較対象のないサーフェスの識別情報と、比較対象のサーフェスの形状が一致しない両サーフェスの識別情報とを抽出する抽出工程と、
抽出工程で抽出されたサーフェス識別情報が示す各サーフェスを、隣接するサーフェスがあるサーフェスについては、相互に隣接したサーフェスからなるグループに分け、隣接するサーフェスがないサーフェスについては、そのサーフェスのみからなるグループに分けるグループ化工程と、
グループ化工程で分けられた各グループに含まれるサーフェスによって形成される３次元のグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを出力装置に出力する出力工程とを含むことを特徴とする設計支援方法である。
【手続補正１０】
【補正対象書類名】明細書
【補正対象項目名】００４０
【補正方法】変更
【補正の内容】
【００４０】
さらに、出力工程で、グループ化工程で分けられた各グループに含まれるサーフェスによって形成される３次元のグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを、出力装置に出力するので、ユーザが操作しなくても、２つの３次元形状のうちの１つ３次元形状と、差のある対応する２つの部分形状との違いを容易に比較することができる。
また本発明は、前記グループ化工程で分けられたそれぞれのグループについて、各グループに含まれるサーフェスによって形成される３次元のグループ形状の重心位置を基点とするベクトルであって、予め定める最適条件を満たす最適ベクトルを決定する最適ベクトル決定工程をさらに含み、
前記出力工程では、前記グループ化工程で分けられたグループのグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを、注目グループ形状について最適ベクトル決定工程で決定された最適ベクトルの方向と反対方向からみた形状で、出力装置に出力することを特徴とする。
本発明に従えば、最適ベクトル決定工程では、前記グループ化工程で分けられたそれぞれのグループについて、各グループに含まれるサーフェスによって形成される３次元のグループ形状の重心位置を基点とするベクトルであって、予め定める最適条件を満たす最適ベクトルを決定する。前記出力工程では、前記グループ化工程で分けられたグループのグループ形状のうちで選択されたグループの注目グループ形状と、注目グループ形状を内包する３次元形状と、注目グループ形状を形成するサーフェスに比較対象のサーフェスがある場合は、その比較対象のサーフェスを含むグループのグループ形状とを、注目グループ形状について最適ベクトル決定工程で決定された最適ベクトルの方向と反対方向からみた形状で、出力装置に出力するので、ユーザが操作しなくても、２つの３次元形状のうちの１つ３次元形状と、差のある対応する２つの部分形状とを、その差のある箇所を見るのに適した方向から表示することができる。
【手続補正１１】
【補正対象書類名】明細書
【補正対象項目名】００４１
【補正方法】変更
【補正の内容】
【００４１】
本発明によれば、ユーザが操作しなくても、２つの３次元形状のうちの１つ３次元形状と、差のある対応する２つの部分形状との違いを容易に比較することができる。
【手続補正１２】
【補正対象書類名】明細書
【補正対象項目名】００５２
【補正方法】削除
【補正の内容】
【手続補正１３】
【補正対象書類名】明細書
【補正対象項目名】００５３
【補正方法】変更
【補正の内容】
【００５３】
また本発明によれば、変更前後のグループ形状が両方とも画面に収まり、かつ画面一杯に拡大表示することができるので、ユーザが設計変更内容を把握しやすくなる。特に、設計変更した形状が変更前の位置から移動していた場合にも、ユーザが設計変更内容を把握しやすくなる。
また本発明によれば、ユーザが操作しなくても、２つの３次元形状のうちの１つ３次元形状と、差のある対応する２つの部分形状とを、その差のある箇所を見るのに適した方向から表示することができるので、ユーザは形状に差のある箇所がよく見える方向を探す手間を省くことができる。
また本発明によれば、変更前後のグループ形状を両方ともよく見える共通の視点から見た形状で出力つまり表示することができるので、ユーザが設計変更内容を把握しやすくなる。特に、設計変更した形状が変更前の位置から移動していた場合にも、ユーザが設計変更内容を把握しやすくなる。
【手続補正１４】
【補正対象書類名】明細書
【補正対象項目名】００５４
【補正方法】変更
【補正の内容】
【００５４】
また本発明によれば、ユーザが操作しなくても、２つの３次元形状のうちの１つ３次元形状と、差のある対応する２つの部分形状との違いを容易に比較することができる。
また本発明によれば、ユーザが操作しなくても、２つの３次元形状のうちの１つ３次元形状と、差のある対応する２つの部分形状とを、その差のある箇所を見るのに適した方向から表示することができるので、ユーザは形状に差のある箇所がよく見える方向を探す手間を省くことができる。